(57)【要約】【課題】本給湯装置では、湯張り終了の都度、リモコン等に設けたリセットスイッチを押してリセットしなければならず、ユーザー操作が煩雑となる問題を有する。【解決手段】加熱器と、前記加熱器によって加熱される熱交換器２と、給湯路を流れる水の流量を調整する水量調整弁１９と、設定した水量を湯張りする湯張り手段２６と、湯張り完了後に前記水量調整弁１９を全閉にして湯張りを停止する強制湯張り停止手段４０と、湯張り停止後に前記水量調整弁１９を開くとともに、前記加熱器への加熱の有無を判定する判定手段３０と、前記強制湯張り停止行為を解除させる強制水量開放手段２９を設けて解決手段とする。【選択図】図３
2006105499.tif 000002
【特許請求の範囲】
【請求項１】
加熱器と、前記加熱器によって加熱される熱交換器と、給湯路を流れる水の流量を調整する水量調整弁と、設定した水量を湯張りする湯張り手段と、湯張り完了後に前記水量調整弁を全閉にして湯張りを停止する強制湯張り停止手段と、湯張り停止後に前記水量調整弁を開くとともに、前記加熱器への加熱の有無を判定する判定手段と、前記強制湯張り停止行為を解除させる強制水量開放手段を設けたことを特徴とする給湯装置。
【請求項２】
タイマ手段を設け、前記タイマ手段で設定されたタイマ時間経過後に水量調整弁を開くとともに、強制湯張り停止行為を解除させる強制水量開放手段と、前記強制水量開放手段による水量調整弁の強制開放中に前記加熱器への加熱の有無を判定する判定手段を設けたことを特徴とした請求項１記載の給湯装置。
【請求項３】
カウンタ手段を設け、加熱器が加熱中と判定された場合は、所定回数カウントされるまで、タイマ手段で設定されたタイマ時間経過後に水量調整弁を開くとともに、強制湯張り停止行為を解除させる強制水量開放手段と、前記強制水量開放手段による水量調整弁の強制開放中に加熱器への加熱の有無を判定する判定手段を設けたことを特徴とした請求項２記載の給湯装置。
【請求項４】
所定回数連続して加熱器が加熱中と判定された場合には、警告手段に警告する警告出力手段を設けたことを特徴とする請求項３に記載の給湯装置。
【請求項５】
加熱器への加熱の有無ではなく、前記加熱器への加熱動作に起因する信号の変化を検知し制御する制御手段を有することを特徴とした請求項１〜４記載の給湯装置。
【発明の詳細な説明】
【技術分野】
【０００１】
本発明は、浴槽や台所等に湯を供給する給湯装置に関するものである。
【背景技術】
【０００２】
従来、設定した所定量のお湯を浴槽に湯張りし、湯張り後強制的にお湯張りを停止するようにした給湯装置は知られている。かかる給湯装置は湯はり停止後の次の給湯使用に備えるために、湯張り停止後ユーザーが浴槽のカランを閉じた後に、リモコンに設けたリセットスイッチを操作して強制な出湯停止行為を解除させる機構になっていた。また、湯張り後浴室カランの閉め忘れを判定するようにしたものも知られている。
【特許文献１】特開平１０−１９７０５０号公報
【発明の開示】
【発明が解決しようとする課題】
【０００３】
しかしながら、上記従来のような給湯装置では、ユーザーは湯張り終了後に湯張り終了の都度、リモコン等に設けたリセットスイッチを押してリセットしなければならず、操作が煩雑となる問題を有していた。
【０００４】
本発明によればリセット操作を不要にすると共に、浴室カランの閉め忘れ時にはユーザーに警告を促すことができる給湯閉止機能付き給湯装置を提供することができる。
【課題を解決するための手段】
【０００５】
本発明は上記課題を解決するために、加熱器と、前記加熱器によって加熱される熱交換器と、給湯路を流れる水の流量を調整する水量調整弁と、設定した水量を湯張りする湯張り手段と、湯張り完了後に前記水量調整弁を全閉にして湯張りを停止する強制湯張り停止手段と、湯張り停止後に前記水量調整弁を開くとともに、前記加熱器への加熱の有無を判定する判定手段と、前記強制湯張り停止行為を解除させる強制水量開放手段を設けたものである。これによって、ユーザーは湯張り終了後に湯張り終了の都度、リモコン等に設けたリセットスイッチを押してリセットしなくても、強制な出湯停止行為を解除させることができるため給湯装置における操作性の向上を図ることができる。
【発明の効果】
【０００６】
以上の説明から明らかなように本発明の給湯装置によれば次の効果が得られる。すなわち、ユーザーは湯張り終了後に湯張り終了の都度、リモコン等に設けたリセットスイッチを押してリセットしなくても、強制な出湯停止行為を解除させることができるため給湯装置における操作性の向上を図ることができる。また、浴室給湯カラン等の手動栓の閉め忘れ状態であればブザー等で警報されるので、ユーザーへの注意喚起の促進を図ることができる。
【発明を実施するための最良の形態】
【０００７】
前記従来の問題を解決するために、請求項１記載の発明は、加熱器と、前記加熱器によって加熱される熱交換器と、給湯路を流れる水の流量を調整する水量調整弁と、設定した水量を湯張りする湯張り手段と、湯張り完了後に前記水量調整弁を全閉にして湯張りを停止する強制湯張り停止手段と、湯張り停止後に前記水量調整弁を開くとともに、前記加熱器への加熱の有無を判定する判定手段と、前記強制湯張り停止行為を解除させる強制水量開放手段を設けた。よって、ユーザーは湯張り終了後にリモコン等に設けたリセットスイッチを押してリセットしなくても、強制な出湯停止行為を解除させることができる。
【０００８】
また、請求項２に記載の発明は、タイマ手段を設け、前記タイマ手段で設定されたタイマ時間経過後に水量調整弁を開くとともに、強制湯張り停止行為を解除させる強制水量開放手段と、前記強制水量開放手段による水量調整弁の強制開放中に前記加熱器への加熱の有無を判定する判定手段を設けることにより、ユーザーは湯張り停止後からタイマ時間経過するまでの間に浴槽等の手動栓を閉めればよくなる。
【０００９】
また、請求項３に記載の発明は、カウンタ手段を設け、加熱器が加熱中と判定された場合は、所定回数カウントされるまで、タイマ手段で設定されたタイマ時間経過後に水量調整弁を開くとともに、強制湯張り停止行為を解除させる強制水量開放手段と、前記強制水量開放手段による水量調整弁の強制開放中に加熱器への加熱の有無を判定する判定手段を設けることにより、湯張り終了後にユーザーが浴槽等の手動栓を閉め忘れても、所定カウントされるまでに手動栓を閉めればよくなる。
【００１０】
また、請求項４に記載の発明は、所定回数連続して加熱器が加熱中と判定された場合には、警告手段に警告する警告出力手段を設けることにより、浴槽等の手動栓を閉め忘れていれば警告されるので、ユーザーへの注意喚起の促進を図ることができる。
【００１１】
また、請求項５に記載の発明は、加熱器への加熱の有無ではなく、前記加熱器への加熱動作に起因する信号の変化を検知し制御する制御手段を有する。よって、実際に加熱する前に判定できるため、加熱に要する燃料代を節約することができる。
【実施例】
【００１２】
以下、本発明の第１の実施例について図面に基づいて説明する。図１は本発明の一実施形態を示す給湯装置の全体構成図である。図２は本発明の一実施形態を示すブロック図である。図３、図４は本発明の一実施形態を示すフローチャートである。
【００１３】
（実施例１）
図１において、１は給湯装置であり、その内部には熱交換器２、ガスバーナー３、送風ファン４、本体コントローラー５を備えている。６は給湯装置を遠隔操作すると共に給湯温度・時刻等の操作情報を画面に表示する表示部７を有するリモコンであり、リモコンコントローラー８を内蔵してある。
【００１４】
９は熱交換器２に至る入水管、１０は熱交換器２から後述する給湯カランに至る出湯管である。入水管９および出湯管１０からなり熱交換器２に接続する通水管１１にはその上流側から水管内の通水量を検出する水量センサ１２および入水温度を検出する入水温度センサ１３を設けている。出湯管１０には熱交換器２により加熱された湯温を検出する出湯温度センサ１４を設けてある。この温度センサ１４は湯水を混合させた後の湯温を検出するものであってもよい。
【００１５】
１５はガスバーナ３に至るガス管であり、このガス管１５にはガス通路を開閉する駆動部材としてのガス電磁弁１６、ガス比例弁１７等を設けてある。１８はイグナイター等の点火電極であり、４１は燃焼検出手段でありガスバーナ３が燃焼中であることを検出する。本体コントローラ５とリモコンコントローラ８とは通信用インターフェース２０を介して接続され、出湯温度センサ１４、水量センサ１２の他各種センサからの検出信号に基づいて給湯装置本体の状態を判定するともに、リモコン６からの制御信号に基づいて給湯装置本体の各部（例えばガス電磁弁、ガス比例弁等）の動作を制御するものである。すなわち給湯運転時には、図５のフローチャートに示すように浴室カラン２３を開かれると水量センサ１２が水量を検出した後（ステップＳ１０１）、この信号を受けてガスが点火しやすいようにあらかじめ設定された回転数になるように送風ファン４へ制御信号が送られる（ステップＳ１０２）。設定回転数で送風ファン４が回転していることが検知されれば（ステップＳ１０３）、ガス電磁弁１６（ステップＳ１０４）が開き、ガス比例弁１７（ステップＳ１０５）はガスが点火しやすいようにあらかじめ設定された開度に開いた後、イグナイター等の点火電極１８が放電するため（ステップＳ１０６）、ガスバーナ３に着火する。そして、燃焼検出手段４１によりガスバーナ３が燃焼中であることが検出される（ステップＳ１０７）。その後、リモコン６で設定された温度（たとえば４２℃）になる負荷に応じたガス量が演算され（ステップＳ１０８）、演算値に合うようにガス比例弁１７、送風ファン４の動作が制御される（ステップＳ１０９）。
【００１６】
１９は通水管に設けた通水量を調節する流量調整弁であり、サーボモータによって駆動され通水量を調節すると共に閉止機能を有するものである。２１は浴室に設けた浴槽、２２は給湯装置の出湯管１０を延長して浴槽２１に至る給湯管でありその末端には浴室カラン２３を設けている。
【００１７】
次に、本発明の作動を図３のフローチャートに基づいて説明する。浴槽２１にお湯張りを開始するには、リモコン６の運転スイッチ３１をオンしたのち、湯量調節スイッチ２７で希望の浴槽湯張り水量、湯温設定スイッチ３３で希望の湯張り温度を設定し、湯張りスイッチ３６をオンするとともに浴室カラン２３を開く（ステップＳ１）。この時、前回設定した希望の浴槽湯張り水量と希望の湯張り温度はリモコンコントローラ８の記憶手段３９に記憶されており、同じ設定でよい場合は、湯量調節スイッチ２７または湯温調整スイッチ３３の操作は省略できる。そして器具内に通水されガスバーナ３に点火されて送風ファン４が駆動し希望の湯温になるように比例弁１７がガス量を調節しながら給湯燃焼が開始され（ステップＳ２）、浴槽へのお湯張りが開始される。
【００１８】
そして、浴槽２１へのお湯張りが進行してユーザーが設定した設定水量に達すると（ステップＳ３）、湯張り手段２６の湯張り量積算が停止して、強制湯張り停止手段４０により、水量調整弁１９は全閉となり（ステップＳ４）、浴槽への給湯は停止する。この前後に湯張り終了を知らせるために、チャイム・メロディ・音声等で報知するようにしても良い。
【００１９】
次に、タイマ手段３７で設定された所定のタイマ時間経過後（例えば１分後）において（ステップＳ５）、強制水量開放手段２９により水量調整弁１９を開くと共に強制湯張り停止行為を解除させる（ステップＳ６）。これにより浴槽容量に見合う設定水量の給湯湯張りおよびその自動給湯停止行為は解除されて、次回からは通常の給湯操作の使用が可能となる。また、水量調整弁１９が強制的に開かれることにより、浴室カラン２３の開閉状況の有無を判断することができる。
【００２０】
すなわち、お湯張り終了後において水量調整弁１９を開く（ステップＳ６）と、浴室カラン２３が閉まっている場合には給湯管２２内に水流は生じないため機器は作動しない。ところが、浴室カラン２３が開いている場合には給湯管２２内に水流が生じるため機器が作動してガスバーナ３が燃焼を開始する。（ステップＳ７）よって、浴室カラン２３の閉め忘れを判定手段３０にて判定することができる。
【００２１】
次に、ステップ７においてバスバーナ３が燃焼中あると燃焼検出手段４１が判定した場合には、浴室カラン２３が閉め忘れと判定され、カウンタ手段３８に閉め忘れ回数がカウントされ（ステップ８）、再度水量調整弁１９は全閉となり（ステップＳ４）、浴槽への給湯は停止し以降ステップ４から８の操作が繰り返される。
【００２２】
また、カウンタ手段３８でカウントされたカウント回数が所定回数を越えたか比較され（ステップ９）、越えている場合にはユーザーに警告手段３４により、浴室カラン２３を閉じるように警告出力手段３５を介して警告すれば良い（ステップ１０）。
【００２３】
（実施例２）
図４には本発明の実施例２のフローチャートを示す。図３との違いはＳステップ７の判定がステップ１１の判定になっているところである。すなわち、お湯張り終了後において水量調整弁１９を開く（ステップＳ６）と、浴室カラン２３が閉まっている場合には給湯管２２内に水流は生じないため機器は作動しないが、浴室カラン２３が開いている場合には給湯管２２内に水流が生じるため機器が作動して送風ファン４が作動し、設定回転数で送風ファン４が回転していることが検知される（ステップＳ１０３）。よって、浴室カラン２３の閉め忘れを判定手段３０にて判定することができる。ここでは、送風ファン４での例を示したが、機器の動作に起因するもの、例えば、ガス電磁弁１６、ガス比例弁等であってもよい。このことにより、機器が燃焼しなくても浴室カラン２３の開閉状況の有無を判断することができるため、燃料を節約できるという効果がある。
【００２４】
なお、上述した実施形態は本発明の好適な実施形態を示すものであって、本発明はこれに限定されることなく、その範囲内で各種設計変更可能である。例えば、上記実施形態においては、リモコンが単数の場合を示したが、本発明において使用されるリモコンは複数でも良く、またテレビ受信機を付加したリモコンであっても良い。また同様に上記実施形態では、給湯装置本体とリモコンとが無線方式の場合を図示したが、もちろんこれらの間を有線接続で連携させることも可能である。また、ガスを燃料とする給湯装置について説明したが石油や電気等を燃料とするものであっても良いことはもちろんである。
【図面の簡単な説明】
【００２５】
【図１】本発明の実施例における給湯装置全体の構成図
【図２】本発明の一実施形態を示すブロック図
【図３】本発明の実施例１の形態を示すフローチャート
【図４】本発明の実施例２の形態を示すフローチャート
【図５】給湯燃焼を示すフローチャート
【符号の説明】
【００２６】
１  給湯装置
２  熱交換器
３  バーナー
６  リモコン
１２  水量センサ
１４  出湯温度センサ
１９  水量調整弁
２６  湯張り手段
２９  強制水量開放手段
３０  判定手段
３４  警告手段
３５  警告出力手段
３６  湯張りスイッチ
３７  タイマ手段
３８  カウンタ手段
４０  強制湯張り停止手段
４１  燃焼検出手段
【図１】
2006105499.tif 000003
【図２】
2006105499.tif 000004
【図３】
2006105499.tif 000005
【図４】
2006105499.tif 000006
【図５】
2006105499.tif 000007